(57)【要約】【課題】サーモクロミックガラスを透過した赤外線を利用してサーモクロミックガラスのガラス温度の上昇を促進できる日射遮蔽ガラスおよびこれを備えた日射遮蔽窓を提供すること。【解決手段】日射遮蔽ガラス１０は、サーモクロミックガラス２０と、熱遮断膜とを備える。サーモクロミックガラス２０は、ガラス温度の上昇によって透過する透過日射量が少なくなる一方、ガラス温度の低下によって透過する透過日射量が多くなる特性を有する。熱遮断膜は、赤外線を吸収する熱線吸収フィルムまたは赤外線を反射する熱線反射フィルムによって構成されており、サーモクロミックガラス２０の屋内面２２に形成される。【選択図】図１
2019182720.tif 000002
【特許請求の範囲】
【請求項１】
ガラス温度の上昇によって透過する透過日射量が少なくなる一方、ガラス温度の低下によって透過する透過日射量が多くなる特性を有したサーモクロミックガラスと、赤外線を遮断する熱遮断膜とを備えており、
前記熱遮断膜は、前記サーモクロミックガラスの屋内面に形成されている
ことを特徴とする日射遮蔽ガラス。
【請求項２】
請求項１に記載の日射遮蔽ガラスにおいて、
前記熱遮断膜は、可視光線を透過し且つ赤外線を吸収する特性を有した熱線吸収膜によって構成されている
ことを特徴とする日射遮蔽ガラス。
【請求項３】
請求項２に記載の日射遮蔽ガラスにおいて、
前記熱線吸収膜の赤外線透過率は、前記サーモクロミックガラスの赤外線透過率よりも低くなっている
ことを特徴とする日射遮蔽ガラス。
【請求項４】
請求項２または請求項３に記載の日射遮蔽ガラスにおいて、
前記熱線吸収膜の可視光線透過率は、前記サーモクロミックガラスの可視光線透過率よりも高くなっている
ことを特徴とする日射遮蔽ガラス。
【請求項５】
請求項１に記載の日射遮蔽ガラスにおいて、
前記熱遮断膜は、可視光線を透過し且つ赤外線を反射する特性を有した熱線反射膜によって構成されている
ことを特徴とする日射遮蔽ガラス。
【請求項６】
請求項５に記載の日射遮蔽ガラスにおいて、
前記熱線反射膜の赤外線透過率は、前記サーモクロミックガラスの赤外線透過率よりも低くなっている
ことを特徴とする日射遮蔽ガラス。
【請求項７】
請求項５または請求項６に記載の日射遮蔽ガラスにおいて、
前記熱線反射膜の可視光線透過率は、前記サーモクロミックガラスの可視光線透過率よりも高くなっている
ことを特徴とする日射遮蔽ガラス。
【請求項８】
建物壁の開口に設置される日射遮蔽窓であって、
枠体と、前記枠体に取り付けられた請求項１から請求項７のいずれか一項に記載の日射遮蔽ガラスとを備えている
ことを特徴とする日射遮蔽窓。
【発明の詳細な説明】
【技術分野】
【０００１】
本発明は、サーモクロミックガラスを備えた日射遮蔽ガラスおよびこれを備えた日射遮蔽窓に関する。
【背景技術】
【０００２】
従来、サーモクロミックガラスとして、第１の合わせガラス部材および第２の合わせガラス部材の間に中間膜を挟んで構成された合わせガラスが知られている（特許文献１参照）。中間膜は、第１の樹脂層および第２の樹脂層の間にサーモクロミック層を挟んで構成されている。サーモクロミック層は、二酸化バナジウムなどを含んでおり、温度変化に応じて赤外線透過率が変化する特性を有している。この合わせガラスでは、第１の樹脂層の赤外線透過率は第２の樹脂層の赤外線透過率よりも高い設定となっている。
【先行技術文献】
【特許文献】
【０００３】
【特許文献１】特開２０１５−１６４８９２号公報
【発明の概要】
【発明が解決しようとする課題】
【０００４】
ところで、特許文献１に記載の合わせガラスでは、第１の合わせガラス部材、第１の樹脂層およびサーモクロミック層を透過した赤外線（熱線）は、第１の樹脂層よりも赤外線透過率が低い第２の樹脂層においてある程度反射されるが、この第２の樹脂層および第２の合わせガラス部材を透過した赤外線、すなわち、合わせガラス全体を透過した赤外線はサーモクロミック層の温度上昇に利用することができない。
【０００５】
本発明の目的は、サーモクロミックガラスを透過した赤外線を利用してサーモクロミックガラスのガラス温度の上昇を促進できる日射遮蔽ガラスおよびこれを備えた日射遮蔽窓を提供することにある。
【課題を解決するための手段】
【０００６】
本発明の日射遮蔽ガラスは、ガラス温度の上昇によって透過する透過日射量が少なくなる一方、ガラス温度の低下によって透過する透過日射量が多くなる特性を有したサーモクロミックガラスと、赤外線を遮断する熱遮断膜とを備えており、前記熱遮断膜は、前記サーモクロミックガラスの屋内面に形成されていることを特徴とする。
本発明の日射遮蔽ガラスによれば、サーモクロミックガラスの屋内面に形成された熱遮断膜が、サーモクロミックガラス全体を透過した赤外線を吸収や反射によって遮断する。このため、赤外線を吸収してフィルム温度が上昇した熱遮断膜からサーモクロミックガラスに熱伝導されたり、熱遮断膜が反射した赤外線がサーモクロミックガラスに再び戻されたりすることで、サーモクロミックガラスのガラス温度の上昇を促進できる。これにより、太陽の日射量が多くなって屋外温度が高まる場合には、例えば熱遮断膜が屋内面に形成されていないサーモクロミックガラスと比べて、日射遮蔽ガラスが遮蔽する日射量を速やかに多くすることができ、日射遮蔽ガラスから屋内空間への熱侵入量を抑えることができる。
【０００７】
本発明の日射遮蔽ガラスでは、前記熱遮断膜は、可視光線を透過し且つ赤外線を吸収する特性を有した熱線吸収膜によって構成されていてもよい。
このような構成によれば、サーモクロミックガラスを透過する可視光線に対する熱線吸収膜の影響を抑えることができると共に、サーモクロミックガラスを透過した赤外線を熱線吸収膜によって吸収することができる。このように赤外線を吸収することで熱線吸収膜の温度が上昇し、熱線吸収膜からサーモクロミックガラスに熱伝導して、サーモクロミックガラスのガラス温度の上昇を促進できる。
【０００８】
本発明の日射遮蔽ガラスでは、前記熱線吸収膜の赤外線透過率は、前記サーモクロミックガラスの赤外線透過率よりも低くなっていてもよい。
このような構成によれば、サーモクロミックガラスを透過した赤外線を熱線吸収膜で遮断できるので、日射遮蔽ガラスから屋内空間への熱侵入量を抑えることができる。
【０００９】
本発明の日射遮蔽ガラスでは、前記熱線吸収膜の可視光線透過率は、前記サーモクロミックガラスの可視光線透過率よりも高くなっていてもよい。
このような構成によれば、サーモクロミックガラスを透過した可視光線を熱線吸収膜にも透過させることができ、熱線吸収膜の可視光線への影響を抑えることができる。
【００１０】
本発明の日射遮蔽ガラスでは、前記熱遮断膜は、可視光線を透過し且つ赤外線を反射する特性を有した熱線反射膜によって構成されていてもよい。
このような構成によれば、サーモクロミックガラスを透過する可視光線に対する熱線反射膜の影響を抑えることができる共に、サーモクロミックガラスを透過した赤外線を熱線反射膜によって反射することができる。このように赤外線を反射してサーモクロミックガラスに再び戻すことで、サーモクロミックガラスのガラス温度の上昇を促進できる。
【００１１】
本発明の日射遮蔽ガラスでは、前記熱線反射膜の赤外線透過率は、前記サーモクロミックガラスの赤外線透過率よりも低くなっていてもよい。
このような構成によれば、サーモクロミックガラスを透過した赤外線を熱線反射膜で遮断できるので、日射遮蔽ガラスから屋内空間への熱侵入量を抑えることができる。
【００１２】
本発明の日射遮蔽ガラスでは、前記熱線反射膜の可視光線透過率は、前記サーモクロミックガラスの可視光線透過率よりも高くなっていてもよい。
このような構成によれば、サーモクロミックガラスを透過した可視光線を熱反射フィルムにも透過させることができ、熱線反射膜の可視光線への影響を抑えることができる。
【００１３】
本発明の日射遮蔽窓は、建物壁の開口に設置される日射遮蔽窓であって、枠体と、前記枠体に取り付けられた前述した本発明の日射遮蔽ガラスとを備えていることを特徴とする。
本発明の日射遮蔽窓によれば、前述した本発明の日射遮蔽ガラスの作用効果と同様の作用効果を発揮する日射遮蔽窓を構成できる。
【発明の効果】
【００１４】
本発明によれば、サーモクロミックガラスを透過した赤外線を利用してサーモクロミックガラスのガラス温度の上昇を促進できる日射遮蔽ガラスおよびこれを備えた日射遮蔽窓を提供することができる。
【図面の簡単な説明】
【００１５】
【図１】本発明の実施形態に係る日射遮蔽窓を示す模式図。
【図２】前記実施形態に係る日射遮蔽窓の分光透過率を示すグラフ。
【図３】前記実施形態に係る日射遮蔽窓の熱遮断フィルムの分光特性を示すグラフ。
【図４】前記実施形態に係る日射遮蔽窓のガラス温度および日射量の関係を示すグラフ。
【発明を実施するための形態】
【００１６】
［本実施形態の構成］
以下、本発明の実施形態を図面に基づいて説明する。
図１において、本実施形態に係る日射遮蔽窓１は、建物壁２の開口３に対して、枠体である窓枠４を介して日射遮蔽ガラス１０が設置されることによって構成されている。日射遮蔽ガラス１０は、矩形板状のサーモクロミックガラス２０と、サーモクロミックガラス２０の屋内面２２に貼り付けられた熱遮断膜としてのシート状の熱遮断フィルム３０とを備えている。熱遮断フィルム３０は、屋内面２２のうち屋内空間に露出する全面に貼り付けられている。なお、サーモクロミックガラス２０の屋外面２１は、これに熱遮断フィルム３０などは貼り付けられておらず、屋外空間に露出している。
【００１７】
サーモクロミックガラス２０は、透明ガラスに二酸化バナジウムなどの遷移金属酸化物を含んだサーモクロミック層を設けて構成されている。サーモクロミックガラス２０は、ガラス温度の変化によって日射量の透過率が変化するサーモクロミック現象が生じるものであり、ガラス温度の上昇によって透過する透過日射量が少なくなる一方、ガラス温度の低下によって透過する透過日射量が多くなる特性を有している。本実施形態では、サーモクロミックガラス２０はガラス温度の変化によって主に可視光線透過率が変化する特性を有している。
【００１８】
図２（Ａ）のグラフはサーモクロミックガラス２０の分光透過率を示している。このグラフでは、縦軸が日射の透過率（％）であり、横軸が日射の波長（ｎｍ）であり、ガラス温度が２０℃、４０℃、５０℃、７０℃である場合の透過率と波長の関係を、線種を分けてそれぞれ示している。
ここで、本実施形態では、可視放射の波長範囲は、短波長限界を３６０ｎｍ〜４００ｎｍとし、且つ長波長限界を７６０ｎｍ〜８３０ｎｍとし、この波長範囲を可視光線領域とする。また、赤外放射の波長範囲は、単色光成分の波長が可視放射の波長よりも長く、短波長限界を７６０ｎｍ〜８３０ｎｍとした波長範囲を赤外線領域とする。
【００１９】
図２（Ａ）のグラフでは、ガラス温度２０℃〜７０℃の変化に応じて、サーモクロミックガラス２０の可視光線領域における可視光線透過率は、赤外線領域における赤外線透過率よりも大きく変化している。具体的には、可視光線領域において波長が６００ｎｍ程度である場合に可視光線透過率の変化が大きくなっており、ガラス温度２０℃では可視光線透過率が６５％程度である一方、ガラス温度７０℃では可視光線透過率が１５％程度であり、およそ５０％の可視光線透過率の変化範囲がみられる。これに対して、赤外線領域において波長が１０００ｎｍ程度である場合に赤外線透過率の変化が大きくなっており、ガラス温度２０℃では赤外線透過率が６２％程度である一方、ガラス温度７０℃では赤外線透過率が４７％程度であり、およそ１５％の赤外線透過率の変化がみられる。このように、サーモクロミックガラス２０のガラス温度２０℃〜７０℃の変化に応じて、可視光線透過率が５０％程度も変化するのに対し、赤外線透過率は１５％程度しか変化しない。
【００２０】
また、図２（Ａ）のグラフでは、サーモクロミックガラス２０のガラス温度２０℃の場合には、可視光線領域における波長８００ｎｍ程度で可視光線透過率７３％程度であるのに対し、赤外線領域における波長１６００ｎｍ程度で赤外線透過率７０％程度となっている。このことより、ガラス温度が低下した場合、サーモクロミックガラス２０の可視光線透過率および赤外線透過率は同程度（数％の違いを含む）となる。一方、サーモクロミックガラス２０のガラス温度７０℃の場合には、可視光線領域における波長６００ｎｍ程度で可視光線透過率１５％程度であるのに対し、赤外線領域における波長１７００ｎｍ程度で赤外線透過率３１％程度である。このことより、ガラス温度が上昇した場合、サーモクロミックガラス２０の可視光線透過率は赤外線透過率よりも低くなる。
【００２１】
熱遮断フィルム３０は、主に赤外線（熱線）を吸収する特性を有した熱線吸収膜としてのシート状の熱線吸収フィルムによって構成されている。
熱線吸収フィルムは、例えばポリエステル等の樹脂フィルムが積層された構造とされるが、前述した特性および後述する特性を発揮可能な構成であれば前記構造でなくてもよい。
【００２２】
図３（Ａ）のグラフは熱線吸収フィルムの分光特性を示している。このグラフでは、縦軸が日射の透過率・吸収率（％）であり、横軸が日射の波長（ｎｍ）であり、熱線吸収フィルムの透過率と波長の関係を実線で示しており、熱線吸収フィルムの吸収率と波長の関係を点線で示している。
図３（Ａ）のグラフでは、熱線吸収フィルムは、可視光線はあまり吸収せずに透過する一方、赤外線を多く吸収してあまり透過しない特性を有していることがわかる。また、熱線吸収フィルムの可視光線透過率が、サーモクロミックガラス２０の可視光線透過率よりも高くなっており、熱線吸収フィルムの赤外線透過率が、サーモクロミックガラス２０の赤外線透過率よりも低くなっていることがわかる。
【００２３】
図２（Ｂ）のグラフは、本実施形態の日射遮蔽ガラス１０として、サーモクロミックガラス２０の屋内面２２に熱遮断フィルム３０として熱線吸収フィルムを貼り付けたものの分光透過率を示している。このグラフでは、縦軸が日射の透過率（％）であり、横軸が日射の波長（ｎｍ）であり、ガラス温度が２０℃、４０℃、５０℃、７０℃である場合の透過率と波長の関係を、線種を分けてそれぞれ示している。
図２（Ｂ）のグラフでは、日射遮蔽ガラス１０の可視光線透過率の変化範囲は、図２（Ａ）のグラフに示されるサーモクロミックガラス２０の可視光線透過率の変化範囲と比べて、同程度以上の変化範囲を保っていることがわかる。また、図２（Ｂ）のグラフにおける可視光線透過率は、図２（Ａ）のグラフにおける可視光線透過率と比べて、１０％前後の低下に抑えられていることから、サーモクロミックガラス２０の屋内面２２に熱線吸収フィルムを貼り付けても、日射遮蔽ガラス１０の可視光線透過率への影響は低いことがわかる。
一方、図２（Ｂ）のグラフでは、日射遮蔽ガラス１０の赤外線透過率が、図２（Ａ）のグラフに示されるサーモクロミックガラス２０の赤外線透過率に対して大幅に低くなっており、このように透過率が低くなった分は熱線吸収フィルムによって吸収され、熱線吸収フィルムのフィルム温度が上昇してサーモクロミックガラス２０に熱伝導されることが推測される。
【００２４】
サーモクロミックガラス２０の屋内面２２に熱遮断フィルム３０として熱線吸収フィルムを貼り付けた日射遮蔽ガラス１０が窓枠４に取り付けられた日射遮蔽窓１は、次のように作用する。ここでは、外気温（屋外温度）が室温（屋内温度）よりも高い場合を想定する。
図１に示すように、太陽５からの日射をサーモクロミックガラス２０が受けると、サーモクロミックガラス２０はその透過率に応じて可視光線および赤外線を透過すると共に透過されない赤外線を直接吸収する。
次に、サーモクロミックガラス２０を透過した日射を熱線吸収フィルムが受けると、熱線吸収フィルムはその透過率に応じて可視光線を透過し且つ赤外線を吸収する。熱線吸収フィルムを透過した可視光線は屋内空間に入射されるが、赤外線は熱線吸収フィルムに吸収されて屋内空間にほぼ入射されないので、日射遮蔽ガラス１０が受ける日射量（屋外面２１が受ける窓面日射量）に対する屋内空間への熱侵入率は低く抑えられる。また、熱線吸収フィルムは、吸収した赤外線によってフィルム温度が上昇するので、フィルム温度がサーモクロミックガラス２０のガラス温度よりも高くなった場合には熱伝導してガラス温度の上昇を促進させる。
【００２５】
太陽５からの日射が強まって日射遮蔽ガラス１０の屋外面２１が受ける窓面日射量が多くなっていく場合、サーモクロミックガラス２０のガラス温度は、日射を直接吸収するうえ、熱線吸収フィルムから熱伝導されて熱取得することで速やかに上昇する。このため、サーモクロミックガラス２０の可視光線透過率は速やかに低くなり、可視光線遮蔽率は高くなる。また、太陽５からの日射が弱まって日射遮蔽ガラス１０の屋外面２１が受ける窓面日射量が少なくなっていく場合、サーモクロミックガラス２０が日射を直接吸収する量が少なくなると共に、熱線吸収フィルムから熱取得する量も少なくなり、サーモクロミックガラス２０のガラス温度が低下する。このため、サーモクロミックガラス２０の可視光線透過率は高くなり、可視光線遮蔽率は低くなる。このように、日射遮蔽窓１は日射量に応じて日射遮蔽する。
【００２６】
図４のグラフは、外気温３０℃および室温２５℃の下、前述したように日射遮蔽ガラス１０の屋外面２１が受ける窓面日射量（Ｗ/ｍ２）およびガラス温度（℃）の関係と、熱遮断フィルム３０が貼り付けられていないサーモクロミックガラス２０単体における窓面日射量（Ｗ/ｍ２）およびガラス温度（℃）の関係とを示している。
サーモクロミックガラス２０単体のガラス温度は、窓面日射量が１００Ｗ/ｍ２から９００Ｗ/ｍ２まで多くなる間に、３０℃程度から４６℃程度にまで上昇する。これに対して、日射遮蔽ガラス１０（サーモクロミックガラス２０＋熱線吸収フィルム）のガラス温度は、窓面日射量が１００Ｗ/ｍ２から９００Ｗ/ｍ２まで多くなる間に、３１℃程度から５５℃程度にまで上昇する。このことより、窓面日射量に対するガラス温度の上昇率は、サーモクロミックガラス２０単体よりも日射遮蔽ガラス１０の方が高いことがわかる。
【００２７】
以上の日射遮蔽窓１において、サーモクロミックガラス２０の屋内面２２に貼り付けられる熱遮断フィルム３０は熱線吸収フィルムとして説明したが、熱線吸収フィルムではなく、主に赤外線を反射する特性を有した熱線反射膜としてのシート状の熱線反射フィルムとしてもよい。
熱線反射フィルムは、例えばポリエステル等の樹脂フィルムが積層された構造とされるが、前述した特性および後述する特性を発揮可能な構成であれば前記構造でなくてもよい。
【００２８】
図３（Ｂ）のグラフは熱線反射フィルムの分光特性を示している。このグラフでは、縦軸が日射の透過率・反射率（％）であり、横軸が日射の波長（ｎｍ）であり、熱線反射フィルムの透過率と波長の関係を実線で示しており、熱線反射フィルムの反射率と波長の関係を点線で示している。
図３（Ｂ）のグラフでは、熱線反射フィルムは、可視光線はあまり反射せずに透過する一方、赤外線を多く反射してあまり透過しない特性を有していることがわかる。また、熱線反射フィルムの可視光線透過率は、サーモクロミックガラス２０の赤外線透過率よりも低くなっていることがわかる。
【００２９】
サーモクロミックガラス２０の屋内面２２に熱遮断フィルム３０として熱線反射フィルムを貼り付けた日射遮蔽ガラス１０が窓枠４に取り付けられた日射遮蔽窓１は、次のように作用する。ここでは、外気温が室温よりも高い場合を想定する。
図１に示すように、太陽５からの日射をサーモクロミックガラス２０が受けると、サーモクロミックガラス２０はその透過率に応じて可視光線および赤外線を透過すると共に透過されない赤外線を直接吸収する。
次に、サーモクロミックガラス２０を透過した日射を熱線反射フィルムが受けると、熱線反射フィルムはその透過率に応じて可視光線を透過し且つ赤外線を反射する。熱線反射フィルムを透過した可視光線は屋内空間に入射されるが、赤外線は熱線反射フィルムに反射されることで屋内空間への入射量が少ないので、日射遮蔽ガラス１０が受ける日射量に対する屋内空間への熱侵入率は低く抑えられる。また、熱線反射フィルムに反射された赤外線は再びサーモクロミックガラス２０に戻され、サーモクロミックガラス２０は反射された赤外線を吸収するので、サーモクロミックガラス２０のガラス温度の上昇は促進される。
【００３０】
太陽５からの日射が強まって日射遮蔽ガラス１０の屋外面２１が受ける窓面日射量が多くなっていく場合、サーモクロミックガラス２０のガラス温度は、日射を直接吸収するうえ、熱線反射フィルムに反射された赤外線を吸収することで速やかに上昇する。このため、サーモクロミックガラス２０の可視光線透過率は速やかに低くなり、可視光線遮蔽率は高くなる。また、太陽５からの日射が弱まって日射遮蔽ガラス１０の屋外面２１が受ける窓面日射量が少なくなっていく場合、サーモクロミックガラス２０が日射を直接吸収する量が少なくなると共に、熱線反射フィルムに反射する赤外線の量も少なくなり、サーモクロミックガラス２０のガラス温度が低下する。このため、サーモクロミックガラス２０の可視光線透過率は高くなり、可視光線遮蔽率は低くなる。このように、日射遮蔽窓１は日射量に応じて日射遮蔽する。
【００３１】
［本実施形態の効果］
（１）本実施形態では、日射遮蔽ガラス１０は、ガラス温度の上昇によって透過する透過日射量が少なくなる一方、ガラス温度の低下によって透過する透過日射量が多くなる特性を有したサーモクロミックガラス２０の屋内面２２に熱遮断フィルム３０が貼り付けられることで、熱遮断フィルム３０が、サーモクロミックガラス２０全体を透過した赤外線を吸収や反射によって遮断でき、吸収や反射された赤外線を利用してサーモクロミックガラス２０のガラス温度の上昇を促進できる。これにより、太陽５の日射量が多くなる場合には、日射遮蔽ガラス１０が遮蔽する日射量を速やかに多くすることができ、日射遮蔽ガラス１０から屋内空間への熱侵入量を抑えることができる。
（２）熱遮断フィルム３０が可視光線を透過し且つ赤外線を吸収する特性を有した熱線吸収フィルムによって構成される場合、サーモクロミックガラス２０を透過する可視光線に対する熱線吸収フィルムの影響を抑えることができると共に、サーモクロミックガラス２０を透過した赤外線を熱線吸収フィルムによって吸収することができ、サーモクロミックガラス２０のガラス温度の上昇を促進できる。
（３）熱線吸収フィルムの赤外線透過率がサーモクロミックガラス２０の赤外線透過率よりも低くなっているので、サーモクロミックガラス２０を透過した赤外線を熱線吸収フィルムで遮断でき、日射遮蔽ガラス１０から屋内空間への熱侵入量を抑えることができる。
（４）熱線吸収フィルムの可視光線透過率がサーモクロミックガラス２０の可視光線透過率よりも高くなっているので、サーモクロミックガラス２０を透過した可視光線を熱線吸収フィルムにも透過させることができ、熱線吸収フィルムの可視光線への影響を抑えることができる。
（５）熱遮断フィルム３０が可視光線を透過し且つ赤外線を反射する特性を有した熱線反射フィルムによって構成される場合、サーモクロミックガラス２０を透過する可視光線に対する熱線反射フィルムの影響を抑えることができると共に、サーモクロミックガラス２０を透過した赤外線を熱線反射フィルムによって反射することができ、サーモクロミックガラス２０のガラス温度の上昇を促進できる。
（６）熱線反射フィルムの赤外線透過率がサーモクロミックガラス２０の赤外線透過率よりも低くなっているので、サーモクロミックガラス２０を透過した赤外線を熱線反射フィルムで遮断でき、日射遮蔽ガラス１０から屋内空間への熱侵入量を抑えることができる。
（７）熱線反射フィルムの可視光線透過率がサーモクロミックガラス２０の可視光線透過率よりも高くなっているので、サーモクロミックガラス２０を透過した可視光線を熱線反射フィルムにも透過させることができ、熱線反射フィルムの可視光線への影響を抑えることができる。
【００３２】
［変形例］
前記実施形態では、熱線吸収フィルムは、図２（Ａ）に示す分光特性を有しているが、この特性に限らず、可視光線を透過し、且つサーモクロミックガラス２０のガラス温度を上昇できる程度に赤外線を吸収する特性を有していればよい。また、前記実施形態では、熱線反射フィルムは、図２（Ｂ）に示す分光特性を有しているが、この特性に限らず、可視光線を透過し、且つサーモクロミックガラス２０のガラス温度を上昇できる程度に赤外線を反射する特性を有していればよい。
前記実施形態では、熱線吸収フィルムは、可視光線透過率がサーモクロミックガラス２０の可視光線透過率よりも高くなっているが、同程度であってもよい。また、前記実施形態では、熱線反射フィルムは、可視光線透過率がサーモクロミックガラス２０の可視光線透過率よりも高くなっているが、同程度であってもよい。
前記実施形態では、熱遮断フィルム３０は、サーモクロミックガラス２０の屋内面２２に貼り付けられているので、他の熱遮断フィルム３０と貼り替えることで日射遮蔽ガラス１０の特性を調整、変更することが可能であり、例えば熱線反射フィルムから熱線吸収フィルムに貼り替えることができる。
前記実施形態では、熱遮断フィルム３０は、屋内面２２のうち屋内空間に露出する全面に貼り付けられているが、部分的に貼り付けられていてもよく、例えば日射の入射角などを考慮して、サーモクロミックガラス２０の上下半分などに貼り付けられていてもよい。
前記実施形態では、熱遮断フィルム３０は、サーモクロミックガラス２０の屋内面２２に貼り付けられているが、これに限らず、スパッタリング等で形成された熱遮断膜であってもよい。
前記実施形態に係る日射遮蔽窓１は、日射遮蔽ガラス１０が窓枠４に不動に固定された固定窓（ＦＩＸ窓）でもよく、日射遮蔽ガラス１０が窓枠４に開閉可能に取り付けられた各種の窓であってもよい。また、日射遮蔽窓１は、日射遮蔽ガラス１０のほかにも透明ガラスなどを備えて複層窓とされてもよい。
【符号の説明】
【００３３】
１…日射遮蔽窓、１０…日射遮蔽ガラス、２…建物壁、２０…サーモクロミックガラス、２１…屋外面、２２…屋内面、３…開口、３０…熱遮断フィルム、４…窓枠（枠体）、５…太陽。
【図１】
2019182720.tif 000003
【図２】
2019182720.tif 000004
【図３】
2019182720.tif 000005
【図４】
2019182720.tif 000006